(57)【特許請求の範囲】
【請求項１】
液晶表示パネルと該液晶表示パネルに照明光を照射するバックライトユニットが、筐体に収納されている液晶表示装置において、
該筐体は該バックライトユニットの少なくとも一方の端部が露呈する構成であり、
該バックライトユニットの前記一方の端部と、該端部を支持する該筐体のバックライトユニット支持部とが、保持部材のコ字形断面部内に嵌合していることを特徴とする液晶表示装置。
【請求項２】
液晶表示パネルと該液晶表示パネルに照明光を照射するバックライトユニットが筐体に収納され、該液晶表示パネルの表示領域を露呈させ該筐体の側面を覆うベゼルを備えた液晶表示装置において、
該筐体は該バックライトユニットの少なくとも一方の端部が露呈する構成であり、
該バックライトユニットの前記一方の端部と、該端部を支持する該筐体のバックライトユニット支持部とが、保持部材のコ字形断面部内に嵌合し、該保持部材には該ベゼルに向けて突出する舌片が設けられ、該ベゼルには該舌片を係止させる係止孔が形成されていることを特徴とする液晶表示装置。
【請求項３】
前記バックライトユニットが光源ランプと該光源ランプの出射光を伝播させる導光板を備え、該バックライトユニットの前記一方の端部が、該光源ランプに対し反対側の該導光板の端部であること、を特徴とする請求項１または２記載の液晶表示装置。
【請求項４】
前記保持部材が前記筐体に固定されていることを特徴とする請求項１または２記載の液晶表示装置。
【請求項５】
前記液晶表示パネルは、前記バックライトユニットとの対向部が緩衝部材を介して前記保持部材の上に搭載されていることを特徴とする請求項１または２記載の液晶表示装置。
【請求項６】
前記保持部材が金属にてなり、前記筐体に装着された配線板のグランド端子に接続されていることを特徴とする請求項１または２記載の液晶表示装置。
【請求項７】
前記保持部材は、少なくとも前記バックライトユニットと接する部分が、前記液晶表示パネルの表示領域の近傍まで延在していることを特徴とする請求項１または２記載の液晶表示装置。
【発明の詳細な説明】
【０００１】
【発明の属する技術分野】
本発明はバックライトユニットを備えた液晶表示装置、特に小型化・軽量化を可能にする構成に関する。
【０００２】
【従来の技術】
図１２は従来の液晶表示装置の概略を示す側面図であり、液晶表示装置１は、バックライトユニット２を樹脂製の筐体３に収容し、筐体３の上面開口部に液晶表示パネル４を装着したのち、液晶表示パネル４の表示面を露呈させ筐体３の側面を覆うベゼル５を装着してなる。
【０００３】
バックライトユニット２において、光源ランプ（冷陰極管）６を点灯し発生した光は、光源ランプ６の３方を囲う反射板７で反射され、導光板８に入射する。導光板８に入射した光は、導光板８を伝播しながら反射フィルム９で反射され、出射光の輝度を均一化する光学フィルム１０を通り、液晶表示パネル４に入射する。
【０００４】
液晶表示パネル４は、所定の電極等が形成され所定間隔で対向する一対のガラス基板１２と１３の周辺近傍部を封止材１４で接合し、一対のガラス基板１２および１３と封止材１４で密閉された間隙内に、液晶が充填されている。
【０００５】
バックライトユニット２の中央部を支持部材３ａで支持する筐体３は、バックライトユニット２および液晶表示パネル４の四方を囲う構成であり、筐体３の液晶表示パネル支持面３ｂには、緩衝材（スペーサ）１５を介して液晶表示パネル４を搭載し、金属にてなるベゼル５は、緩衝材（スペーサ）１６を介して液晶表示パネル４を、液晶表示パネル支持面３ｂに押し付けるようになる。
【０００６】
なお、筐体３とベゼル５は通常の固定手段、例えばねじ止め、またはベゼルに５設けた舌片を筐体３に向けて折り曲げる、または筐体３とベゼル５の双方に設けた適当な係止手段により、筐体３にベゼル５を装着させている。
【０００７】
【発明が解決しようとする課題】
以上説明したように、従来の液晶表示装置１において筐体３は、バックライトユニット２および液晶表示パネル４の四方を囲う構成であり、液晶表示装置１の一層の小型化では、バックライトユニット２および液晶表示パネル４を囲う筐体３の額縁部を薄くする方法が採られていた。
【０００８】
しかし、バックライトユニット２および液晶表示パネル４より外側に位置する前記額縁部を、液晶表示装置１の信頼性を損なうことなく薄くするには機械強度上の限界がある。そこで、信頼性を損なうことなく液晶表示装置１の小型化をさらに進めるには、筐体３の額縁部に係わる新規構成、即ち額縁の一部を無くす新規構成が求められるようになった。
【０００９】
【課題を解決するための手段】
本発明の目的は、バックライトユニットおよび液晶表示パネルを収容した液晶表示装置の小型化である。
【００１０】
上記目的を達成する本発明の第１の液晶表示装置は、液晶表示パネルと該液晶表示パネルに照明光を照射するバックライトユニットが、筐体に収納されている液晶表示装置において、該筐体は該バックライトユニットの少なくとも一方の端部が露呈する構成であり、該バックライトユニットの前記一方の端部と、該端部を支持する該筐体のバックライトユニット支持部とが、保持部材のコ字形断面部内に嵌合されている。
【００１１】
上記目的を達成する本発明の第２の液晶表示装置は、液晶表示パネルと該液晶表示パネルに照明光を照射するバックライトユニットが筐体に収納され、該液晶表示パネルの表示領域を露呈させ該筐体の側面を覆うベゼルを備えた液晶表示装置において、該筐体は該バックライトユニットの少なくとも一方の端部が露呈する構成であり、該バックライトユニットの前記一方の端部と、該端部を支持する該筐体のバックライトユニット支持部とが、保持部材のコ字形断面部内に嵌合され、該保持部材には該ベゼルに向けて突出する舌片が設けられ、該ベゼルには該舌片を係止させる係止孔が形成されている。
【００１２】
上記目的を達成する本発明の第３の液晶表示装置は、前記本発明の第１または第２の液晶表示装置において、前記バックライトユニットが光源ランプと該光源ランプの出射光を伝播させる導光板を備え、該バックライトユニットの前記一方の端部が、該光源ランプに対し反対側の該導光板の端部である。
【００１３】
上記目的を達成する本発明の第４の液晶表示装置は、前記本発明の第１または第２の液晶表示装置において、前記保持部材が前記筐体に固定されている。
上記目的を達成する本発明の第５の液晶表示装置は、前記本発明の第１または第２の液晶表示装置において、前記液晶表示パネルは、前記バックライトユニットとの対向部が緩衝部材を介して前記保持部材の上に搭載されている。
【００１４】
上記目的を達成する本発明の第６の液晶表示装置は、前記本発明の第１または第２の液晶表示装置において、前記保持部材が、金属にてなり前記筐体に装着された配線板のグランド端子に接続されている。
【００１５】
上記目的を達成する本発明の第７の液晶表示装置は、前記本発明の第１または第２の液晶表示装置において、前記保持部材は、少なくとも前記バックライトユニットと接する部分が、前記液晶表示パネルの表示領域の近傍まで延在する。
【００１６】
前記本発明の第１の液晶表示装置において、液晶表示パネルとバックライトユニットを収納した筐体は、保持部材を配設した前記端部においてバックライトユニットより突出させないで済む。従って、バックライトユニットよりも四方に突出する額縁部を必要とした従来の筐体に対し、本発明に係わる筐体は小型化され、そのことで液晶表示装置の小型化を達成する。
【００１７】
前記本発明の第２の液晶表示装置は、前記本発明の第１の液晶表示装置の構成に加え、保持部材とベゼルが係止されるようにしたものであり、本発明の第１の液晶表示装置と同じく装置の小型化が達成されると共に、筐体にベゼルを装着する作業が簡易化される。
【００１８】
前記本発明の第３の液晶表示装置は、前記本発明の第１または第２の液晶表示装置において、光源ランプと反対側の導光板端部と筐体を保持部材に嵌合させた構成である。
【００１９】
前記本発明の第４の液晶表示装置は、前記本発明の第１または第２の液晶表示装置において、保持部材を筐体に固定させた構成である。
前記本発明の第５の液晶表示装置は、前記本発明の第１または第２の液晶表示装置において、緩衝部材を介して保持部材の上に液晶表示パネルを搭載した構成である。
【００２０】
前記本発明の第６の液晶表示装置は、前記本発明の第１または第２の液晶表示装置において、筐体に装着した配線板のグランド端子に金属の保持部材を接続せしめ、保持部材が配線板のフレームグランドを兼ねるようにしたものである。
【００２１】
前記本発明の第７の液晶表示装置は、前記本発明の第１または第２の液晶表示装置において、バックライトユニットから液晶表示パネルの表示領域外に出射する余計な光を、保持部材で遮光するようにした構成である。
【００２２】
【発明の実施の形態】
図１は本発明の第１の実施例の説明図、図２は本発明の第１の実施例における筐体の断面図、図３は本発明の第１の実施例における保持部材の斜視図、図４は本発明の第２の実施例の説明図、図５は本発明の第３の実施例の説明図である。
【００２３】
図１において、（ａ）は本発明の第１の実施例による液晶表示装置の一部を破断した断面図、（ｂ）は液晶表示パネルとベゼルを取り除いた（ａ）のＡ矢視図であり、液晶表示装置２１は、液晶表示パネル４と液晶表示パネル４に照明光を照射するバックライトユニット２を筐体２２に収納し、バックライトユニット２の一方の端部（右端部）と、筐体２２のバックライトユニット支持部２２ａとは、全長が断面コ字形である保持部材２３のコ字形断面内に嵌合され、液晶表示パネル４の表示領域を露呈させ筐体２２の側面を覆うベゼル２４を筐体２２に装着している。
【００２４】
図中において符号２５は、保持部材２３を筐体２２に固定するねじであり、薄形の液晶表示装置２１において、筐体２２の下面より突出しないようにねじ２５は、頭の高さの低いものを使用しており、ベゼル２４は従来のベゼル５と同一方法で筐体２２に装着されている。
【００２５】
バックライトユニット２は、従来の液晶表示装置１のバックライトユニット２と同じく、下面に反射フィルム９を設けた導光板８と、導光板８の一側に配設した光源ランプ（冷陰極管）６と、光源ランプ６の３方を囲う反射板７等にて構成されている。
【００２６】
バックライトユニット２の中央部を支持部材２２ｂで支持する筐体２２は、収納されたバックライトユニット２および液晶表示パネル４の３方を囲う構成、即ち、図１において収容したバックライトユニット２と液晶表示パネル４の右端面が露呈する構成であり、筐体２２の液晶表示パネル支持面２２ｃには、緩衝材１５を介して液晶表示パネル４を搭載し、金属にてなるベゼル２４は、緩衝材１６を介して液晶表示パネル４を、液晶表示パネル支持面２２ｃに押し付けるようになる。そして、液晶表示パネル４の右端部は、緩衝材（スペーサ）２６を介して保持部材２３に搭載される。
【００２７】
樹脂をモールドしてなる筐体２２は、図１および図２に示す如く、バックライトユニット２の先端部即ち光源ランプ６と反対側の端部下面を支持するバックライトユニット支持部２２ａと、バックライトユニット２の中央部を支持する支持部材２２ｂと、緩衝材１５を介して液晶表示パネル４の一方の端部（左端部）を支持する液晶表示パネル支持面２２ｃと、バックライトユニット支持部２２ａと２２ｂおよび液晶表示パネル支持面２２ｃの長さ方向の両端（図紙の厚さ方向の両端）が連通する一対の側壁部２２ｄを有する。
【００２８】
保持部材２３を固定するねじ２５が装着されるバックライトユニット支持部２２ａは、ねじ２５が筐体２２の下面より突出しないようにする段付き形状、即ち、保持部材２３の下辺が接触しねじ２５に対応するねじ孔形成面２２ｅは、筐体２２の下面より上方に形成され、ねじ２５は頭の高さの低いものを使用している。
【００２９】
金属板、例えば厚さ０．２５ｍｍのステンレス板よりプレス加工で形成された保持部材２３は、図１および図３に示す如く全長に渡って、上辺より下辺の長いコ字形断面であり、バックライトユニット支持部２２ａに接する下辺の長さ方向の両端部には、保持部材２３を筐体２２に固定するねじ２５が貫通する貫通孔２３ａが設けられている。
【００３０】
かかる保持部材２３において、コ字形断面内には図１に示す如く、光学フィルム１０が貼着されない導光板８の先端部（図の右端部）と、下面がねじ孔形成面２２ｅであるバックライトユニット支持部２２ａの先端部が嵌合されるようになる。
【００３１】
かかる液晶表示装置２１において、光源ランプ６を点灯し発生した光は、従来の液晶表示装置１と同じく導光板８と光学フィルム１０を通り、液晶表示パネル４に入射する。
【００３２】
しかし、収納したバックライトユニット２および液晶表示パネル４の３方を囲う筐体２２は、バックライトユニット２および液晶表示パネル４の４方を囲う従来の筐体３に比べ、バックライトユニット２および液晶表示パネル４の一方の辺（図１の右端辺）を囲わないため、その分だけ小型化され、それに伴ってベゼル２４も従来のベゼル５より小型化が可能となる。
【００３３】
従って、従来の液晶表示装置１と同じ機能を発揮する液晶表示装置２１は、液晶表示装置１より小型化できるようになる。
図４において、液晶表示装置３１は、液晶表示パネル４と液晶表示パネル４に照明光を照射するバックライトユニット２′を筐体２２に収納し、バックライトユニット２′の一方の端部と、筐体２２のバックライトユニット支持部２２ａとを、全長が断面コ字形である保持部材２３′のコ字形断面内に嵌合され、液晶表示パネル４の表示領域を露呈させ筐体２２の側面を覆うベゼル２４が、筐体２２に装着されている。
【００３４】
金属板、例えば厚さ０．２５ｍｍのステンレス板よりプレス加工で形成された保持部材２３′は、全長に渡って上辺より下辺が長いコ字形断面であり、バックライトユニット支持部２２ａの先端部と、バックライトユニット支持部２２ａに支持され表面に光学フィルム１０が貼着されたバックライトユニット２′の先端部とが嵌合する。
【００３５】
かかる液晶表示装置３１の構成は、液晶表示装置２１と類似している。しかし、前述した如く液晶表示装置２１において、保持部材２３のコ字形断面内には露呈する導光板８の端部が嵌合するのに対し、液晶表示装置３１の保持部材２３′のコ字形断面内には、光学フィルム１０が貼着された導光板８の端部が嵌合する点で異なる。
【００３６】
従って、液晶表示パネル４と保持部材２３′との間に挿着される緩衝材２６′は、光学フィルム１０の厚さだけ緩衝材２６より薄いものを使用することになるが、液晶表示装置３１は液晶表示装置２１と同様に、従来の液晶表示装置１より小型化されるようになる。
【００３７】
図５において、ベゼルと液晶表示パネルを取り外した液晶表示装置３６は、図１（ａ）の矢印Ａと同方向から見たものであり、筐体２２には、ねじ２５によって一対の保持部材２３″が固定されている。
【００３８】
保持部材２３″は、保持部材２３′を短くしたものであり、一対の保持部材２３″のコ字形断面内には、バックライトユニット２の先端部と、筐体２２のバックライトユニット支持部２２ａの先端部が嵌合するようになる。
【００３９】
かかる液晶表示装置３６は装置の大判化に適応したものである。即ち、液晶表示装置３１において液晶表示パネル４の大判化すると、その大判化に伴って長くなった保持部材２３′は、長さ方向の反りが生じ易く、取扱い中に曲げられる恐れがある。
【００４０】
そこで、長い保持部材２３′に変え、それを短く分割した複数（図は２個）の保持部材２３″を使用することで、長い保持部材２３′における前記欠点が解消される。
【００４１】
図６は本発明の第４の実施例の説明図、図７は本発明の第５の実施例の説明図、図８は本発明の第６の実施例の説明図、図９は本発明の第６の実施例における保持部材の斜視図、図１０は本発明の第７の実施例の説明図、図１１は本発明の第７の実施例における保持部材の斜視図である。
【００４２】
図６において、（ａ）は本発明の第４の実施例の液晶表示装置の一部を破断した断面図、（ｂ）は液晶表示パネルとベゼルを取り除いた（ａ）のＢ−Ｂ断面図であり、液晶表示装置４１は、液晶表示パネル４と液晶表示パネル４に照明光を照射するバックライトユニット２を筐体４２に収納し、図紙の厚さ方向に対向するバックライトユニット２の一対の側端部と、筐体４２のバックライトユニット支持部４２ａとを、全長に渡って断面コ字形である保持部材４３のコ字形断面内に嵌合させ、液晶表示パネル４の表示領域を露呈させ筐体４２の側面を覆うベゼル４４を、筐体４２に装着している。
【００４３】
図中において符号２５は、保持部材４３を筐体４２に固定するねじであり、ベゼル４４は従来のベゼル５と同一方法で筐体４２に装着されている。
バックライトユニット２および液晶表示パネル４を収納支持する筐体４２は、収納されたバックライトユニット２および液晶表示パネル４の２方を囲う構成、即ち、図６において収容したバックライトユニット２と液晶表示パネル４の右端面と左端面が露呈する構成であり、液晶表示パネル４の右端部と左端部を支持する筐体４２の液晶表示パネル支持面４２ｂには、緩衝材１５を介して液晶表示パネル４を搭載し、金属にてなるベゼル４４は、緩衝材１６を介して液晶表示パネル４を、液晶表示パネル支持面４２ｂに押し付けるようになる。
【００４４】
なお、樹脂をモールドしてなる筐体４２は、バックライトユニット支持部４２ａと、バックライトユニット２の反射板７を収納する構成部分４２ｃと、構成部分４２ｃに対向する構成部分４２ｄに大別され、バックライトユニット支持部４２ａの右端面が構成部分４２ｄに接続し、構成部分４２ｃと４２ｄは、連結部材４２ｅによって接続されている。
【００４５】
金属板、例えば厚さ０．２５ｍｍのステンレス板よりプレス加工で形成された保持部材４３は、保持部材２３と同じ形状であり、長さ方向の両端部には、保持部材２３と同じ貫通孔２３ａ（図示せず）が設けられている。
【００４６】
かかる液晶表示装置４１において、光源ランプ６を点灯し発生した光は、従来の液晶表示装置１と同じく導光板８と光学フィルム１０を通り、液晶表示パネル４に入射する。
【００４７】
しかし、収納したバックライトユニット２および液晶表示パネル４の２方を囲う筐体４２は、バックライトユニット２および液晶表示パネル４の４方を囲う従来の筐体３に比べ、狭幅化されたことで小型になり、それに伴ってベゼル４４も従来のベゼル５より小型化される。
【００４８】
図７において、液晶表示装置４６は、液晶表示パネル４と液晶表示パネル４に照明光を照射するバックライトユニット２′を筐体２２に収納し、バックライトユニット２′の一方の端部と、筐体２２のバックライトユニット支持部２２ａとを、全長に渡って断面コ字形の保持部材４７のコ字形断面内に嵌合され、液晶表示パネル４の表示領域を露呈させ筐体２２の側面を覆うベゼル２４が、筐体２２に装着されている。
【００４９】
かかる液晶表示装置４６は、前出の液晶表示装置３１に類似している。そして、液晶表示装置３１と同様に光源ランプ６の出射光が液晶表示パネル４に入射するが、保持部材４７が液晶表示装置３１の保持部材２３′と異なる。
【００５０】
即ち、コ字形断面の保持部材４７は、液晶表示パネル４の表面に接する上部片４７ａが、液晶表示パネル４の表示領域近傍まで突出しており、バックライトユニット２′から、液晶表示パネル４の表示領域の外側に出射しようとする光を上部片４７ａが遮断する。
【００５１】
従って、液晶表示装置４６は液晶表示装置３１と同じく装置構成を小型化させると共に、液晶表示パネル４の表示領域の近傍において画像表示を鮮明化させる効果が発生する。
【００５２】
図８において、液晶表示装置５１は、液晶表示パネル４と液晶表示パネル４に照明光を照射するバックライトユニット２を筐体５２に収納し、バックライトユニット２の一方の端部と、筐体２２のバックライトユニット支持部２２ａとを、全長に渡って断面コ字形である保持部材５３の断面コ字形内に嵌合され、液晶表示パネル４の表示領域を露呈させ筐体２２の側面を覆うベゼル２４が、筐体２２に装着されている。
【００５３】
液晶表示装置５１は、液晶表示パネル４と液晶表示パネル４に照明光を照射するバックライトユニット２を筐体５２に収納し、バックライトユニット２の一方の端部（右端部）と、筐体５２のバックライトユニット支持部５２ａとは、保持部材５３の断面コ字形内に嵌合され、液晶表示パネル４の表示領域を露呈させ筐体５２の側面を覆うベゼル２４を筐体５２に装着している。
【００５４】
図中の符号５４は、液晶表示パネル４の駆動制御回路が形成されたプリント配線板であり、ねじ５５によって筐体５２に装着されたプリント配線板５４の表面には、グランドパターン５６が形成され、グランドパターン５６は金属にてなる保持部材５３に接続されている。
【００５５】
金属板、例えば厚さ０．２５ｍｍのステンレス板よりプレス加工で形成された保持部材５３は、図９に示す如く、全長に渡って上辺より下辺が長いコ字形断面であり、バックライトユニット支持部５２ａに接する下辺の長さ方向の両端部には、保持部材５３を筐体５２に固定するねじ２５が貫通する貫通孔５３ａが設けられている。
【００５６】
保持部材５３の下辺の一部が側方に突出する突出部５３ｂは、プリント配線板５４のグランドパターン５６に接続させるためであり、その突出部５３ｂには、プリント配線板５４を筐体５２に固定させる一対のねじ５５が貫通する一対の貫通孔５３ｃが設けられている。
【００５７】
かかる液晶表示装置５１において、樹脂をモールドしてなる筐体５２は、液晶表示装置２１の筐体２２と同じく、収納した液晶表示パネル４とバックライトユニット２の３方を囲う構成であり、バックライトユニット２の先端部即ち光源ランプ６と反対側の端部下面を支持するバックライトユニット支持部５２ａと、バックライトユニット２の中央部を支持するバックライトユニット支持部５２ｂと、緩衝材１５を介して液晶表示パネル４の一方の端部（左端部）を支持する液晶表示パネル搭載面５２ｃと、バックライトユニット支持部５２ａと５２ｂおよび液晶表示パネル搭載面５２ｃの長さ方向の両端（図紙の厚さ方向の両端）が連通する一対の側壁部５２ｄを有し、プリント配線板５４はバックライトユニット支持部５２ａの下面に装着される。
【００５８】
液晶表示装置５１は、液晶表示装置２１と同じく光源ランプ６の出射光が液晶表示パネル４に入射し、液晶表示装置２１と同じ小型化を可能にすると共に、グランドパターン５６は金属製の保持部材５３を介してベゼル２４に接続する。従って、保持部材５３はプリント配線板５４のフレームグランドを兼ねるようになる。
【００５９】
図１０において、（ａ）は本発明の第７の実施例による液晶表示装置の一部を破断した断面図、（ｂ）は（ａ）のＡ矢視図であり、液晶表示装置６１は、液晶表示パネル４と液晶表示パネル４に照明光を照射するバックライトユニット２を筐体２２に収納し、バックライトユニット２の一方の端部（右端部）と、筐体２２のバックライトユニット支持部２２ａとは、全長に渡って断面コ字形の保持部材６３のコ字形断面内に嵌合され、液晶表示パネル４の表示領域を露呈させ筐体２２の側面を覆うベゼル６４を筐体２２に装着している。
【００６０】
前出の液晶表示装置２１と液晶表示装置６１とは、保持部材とベゼルが異なる。即ち、保持部材６３は図１１に示す如く、液晶表示装置２１の保持部材２３の複数箇所（図は３箇所）に、切り起こし加工による舌片６３ａを設け、ベゼル６４は図１０（ｂ）に示す如く、液晶表示装置２１のベゼル２４に舌片６３ａが嵌入する係止孔６４ａを、打抜き加工で設けたことが異なる。
【００６１】
舌片６３ａは、断面コ字形の保持部材６３の側面（コ字形の垂下辺）から、外方（コ字形の外方）に突出するように設けられ、バックライトユニット２と液晶表示パネル４を収納した筐体２２にベゼル６４を被せたとき、弾性変形後に弾性復帰した舌片６３ａが係止孔６４ａに嵌入し、その嵌入によってベゼル６４は係止されるようになる。
【００６２】
かかる液晶表示装置６１は、液晶表示装置２１と同じく光源ランプ６の出射光が液晶表示パネル４に入射し、液晶表示装置２１と同等の小型化を可能にすると共に、ベゼル６４は少なくとも係止孔６４ａの形成辺で、ねじ止め等の機械的手段を用いることなく筐体２２に係止されるようになる。
【００６３】
【発明の効果】
以上説明したように、本発明による液晶表示装置は、バックライトユニットと液晶表示パネルを収納した筐体が、少なくとも一辺において従来の筐体より小さくなることで、ベゼルも小さくすることが可能となり、全体が小型化されるようになる。
【００６４】
さらに、本発明の第６の実施例による液晶表示装置は、装置内に収納した配線板のグランド接続を容易にし、本発明の第７の実施例による液晶表示装置は、ベゼルの装着を容易にする効果が加わるようになる。
【図面の簡単な説明】
【図１】  本発明の第１の実施例の説明図
【図２】  本発明の第１の実施例における筐体の断面図
【図３】  本発明の第１の実施例における保持部材の斜視図
【図４】  本発明の第２の実施例の説明図
【図５】  本発明の第３の実施例の説明図
【図６】  本発明の第４の実施例の説明図
【図７】  本発明の第５の実施例の説明図
【図８】  本発明の第６の実施例の説明図
【図９】  本発明の第６の実施例における保持部材の斜視図
【図１０】  本発明の第７の実施例の説明図
【図１１】  本発明の第７の実施例における保持部材の斜視図
【図１２】  従来の液晶表示装置の概略を示す側面図
【符号の説明】
２、２′  バックライトユニット
４  液晶表示パネル
６  光源ランプ
７  反射板
８  導光板
９  反射フィルム
１０  光学フィルム
２１、３１、３６、４１、４６、５１、６１  液晶表示装置
２２、４２、５２  筐体
２２ａ、４２ａ、５２ａ  バックライトユニット支持部
２３、２３′、２３″、４３、４７、５３、６３  保持部材
２４、４４、６４  ベゼル
６３ａ  保持部材の舌片
６４ａ  係止孔
【図１】
0003990001.tif 000002
【図２】
0003990001.tif 000003
【図３】
0003990001.tif 000004
【図４】
0003990001.tif 000005
【図５】
0003990001.tif 000006
【図６】
0003990001.tif 000007
【図７】
0003990001.tif 000008
【図８】
0003990001.tif 000009
【図９】
0003990001.tif 000010
【図１０】
0003990001.tif 000011
【図１１】
0003990001.tif 000012
【図１２】
0003990001.tif 000013